(57)【要約】  パワー半導体チップ（１０ａ，２０ｂ）と、パワー半導体チップ（１０ａ）に比べて消費電力が低い低電力部（９０ｃ）とが、導電性を有するヒートシンク（６０）の所定面（６１）の側に設けられている。パワー半導体チップ（１０ａ，２０ｂ）とヒートシンク（６０）との間に第１の板状絶縁部材（３０ａｂ）が延在している。低電力部（９０ｃ）とヒートシンク（６０）との間に第２の板状絶縁部材（３０ｃ）が延在している。第２の板状絶縁部材（３０ｃ）のうちで低電力部（９０ｃ）に面する部分（３３ｃ）は、第１の板状絶縁部材（３０ａｂ）のうちでパワー半導体チップ（１０ａ，２０ｂ）に面する部分（３３ａｂ）に比べて厚い。
2013132644.tif 000002
【特許請求の範囲】
【請求項１】
導電性を有するヒートシンク（６０）と、
前記ヒートシンク（６０）の所定面（６１）の側に設けられたパワー半導体チップ（１０ａ，２０ｂ）と、
前記ヒートシンク（６０）の前記所定面（６１）の側に設けられており前記パワー半導体チップ（１０ａ，２０ｂ）に比べて消費電力が低い低電力部（９０ｃ）と、
前記パワー半導体チップ（１０ａ，２０ｂ）と前記ヒートシンク（６０）との間に延在した第１の板状絶縁部材（３０ａｂ，３０ａ，３５ａｂ）と、
前記低電力部（９０ｃ）と前記ヒートシンク（６０）との間に延在した第２の板状絶縁部材（３０ｃ）と
を備え、
前記第２の板状絶縁部材（３０ｃ）のうちで前記低電力部（９０ｃ）に面する部分（３３ｃ）は、前記第１の板状絶縁部材（３０ａｂ，３０ａ，３５ａｂ）のうちで前記パワー半導体チップ（１０ａ，２０ｂ）に面する部分（３３ａｂ，３３ａ）に比べて厚い、半導体モジュール（１，１Ｄ，１Ｅ，１Ｈ）。
【請求項２】
前記ヒートシンク（６０）の前記所定面（６１）の側に設けられており前記パワー半導体チップ（１０ａ）に比べて耐熱性が高い高耐熱性チップ（２５ｂ）と、
前記高耐熱性チップ（２５ｂ）と前記ヒートシンク（６０）との間に延在した第３の板状絶縁部材（３５ｂ）と
を更に備え、
前記第３の板状絶縁部材（３５ｂ）のうちで前記高耐熱性チップ（２５ｂ）に面する部分（３８ｂ）は、前記第１の板状絶縁部材（３０ａ）のうちで前記パワー半導体チップ（１０ａ）に面する前記部分（３３ａ）に比べて厚い、請求項１に記載の半導体モジュール（１Ｅ）。
【請求項３】
前記ヒートシンク（６０）の前記所定面（６１）の側に設けられており前記パワー半導体チップ（１０ａ）に比べて耐熱性が高い高耐熱性チップ（２５ｂ）を更に備え、
前記第１の板状絶縁部材（３５ａｂ）は前記高耐熱性チップ（２５ｂ）と前記ヒートシンク（６０）との間にも延在しており、
前記第１の板状絶縁部材（３５ａｂ）のうちで前記高耐熱性チップ（２５ｂ）に面する部分（３８ｂ）は、前記第１の板状絶縁部材（３５ａｂ）のうちで前記パワー半導体チップ（１０ａ）に面する前記部分（３３ａ）に比べて厚い、請求項１に記載の半導体モジュール（１Ｈ）。
【請求項４】
導電性を有するヒートシンク（６０）と、
前記ヒートシンク（６０）の所定面（６１）の側に設けられたパワー半導体チップ（１０ａ，２０ｂ）と、
前記ヒートシンク（６０）の前記所定面（６１）の側に設けられており前記パワー半導体チップ（１０ａ，２０ｂ）に比べて消費電力が低い低電力部（９０ｃ）と、
前記パワー半導体チップ（１０ａ，２０ｂ）と前記ヒートシンク（６０）との間に延在すると共に前記低電力部（９０ｃ）と前記ヒートシンク（６０）との間にも延在した共通の板状絶縁部材（３０ａｂｃ，３５ａｂｃ，３０ａｃ）と
を備え、
前記共通の板状絶縁部材（３０ａｂｃ，３５ａｂｃ，３０ａｃ）のうちで前記低電力部（９０ｃ）に面する部分（３３ｃ）は、前記共通の板状絶縁部材（３０ａｂｃ，３５ａｂｃ，３０ａｃ）のうちで前記パワー半導体チップ（１０ａ，２０ｂ）に面する部分（３３ａｂ，３３ａ）に比べて厚い、半導体モジュール（１Ｂ，１Ｃ，１Ｆ，１Ｇ）。
【請求項５】
前記ヒートシンク（６０）の前記所定面（６１）の側に設けられており前記パワー半導体チップ（１０ａ）に比べて耐熱性が高い高耐熱性チップ（２５ｂ）を更に備え、
前記共通の板状絶縁部材（３５ａｂｃ）は前記高耐熱性チップ（２５ｂ）と前記ヒートシンク（６０）との間にも延在しており、
前記共通の板状絶縁部材（３５ａｂｃ）のうちで前記高耐熱性チップ（２５ｂ）に面する部分（３８ｂ）は、前記共通の板状絶縁部材（３５ａｂｃ）のうちで前記パワー半導体チップ（１０ａ）に面する前記部分（３３ａ）に比べて厚い、請求項４に記載の半導体モジュール（１Ｆ）。
【請求項６】
前記ヒートシンク（６０）の前記所定面（６１）の側に設けられており前記パワー半導体チップ（１０ａ）に比べて耐熱性が高い高耐熱性チップ（２５ｂ）と、
前記高耐熱性チップ（２５ｂ）と前記ヒートシンク（６０）との間に延在した別の板状絶縁部材（３５ｂ）と
を更に備え、
前記別の板状絶縁部材（３５ｂ）のうちで前記高耐熱性チップ（２５ｂ）に面する部分（３８ｂ）は、前記共通の板状絶縁部材（３０ａｃ）のうちで前記パワー半導体チップ（１０ａ）に面する前記部分（３３ａ）に比べて厚い、請求項４に記載の半導体モジュール（１Ｇ）。
【請求項７】
導電性を有するヒートシンク（６０）と、
前記ヒートシンク（６０）の所定面（６１）の側に設けられたパワー半導体チップ（１０ａ）と、
前記ヒートシンク（６０）の前記所定面（６１）の側に設けられており前記パワー半導体チップ（１０ａ）に比べて耐熱性が高い高耐熱性チップ（２５ｂ）と、
前記パワー半導体チップ（１０ａ）と前記ヒートシンク（６０）との間に延在した板状絶縁部材（３０ａ，３０ａｃ）と、
前記高耐熱性チップ（２５ｂ）と前記ヒートシンク（６０）との間に延在した別の板状絶縁部材（３５ｂ）と
を備え、
前記別の板状絶縁部材（３５ｂ）のうちで前記高耐熱性チップ（２５ｂ）に面する部分（３８ｂ）は、前記板状絶縁部材（３０ａ，３０ａｃ）のうちで前記パワー半導体チップ（１０ａ）に面する部分（３３ａ）に比べて厚い、半導体モジュール（１Ｅ，１Ｇ，１Ｉ）。
【請求項８】
導電性を有するヒートシンク（６０）と、
前記ヒートシンク（６０）の所定面（６１）の側に設けられたパワー半導体チップ（１０ａ）と、
前記ヒートシンク（６０）の前記所定面（６１）の側に設けられており前記パワー半導体チップ（１０ａ）に比べて耐熱性が高い高耐熱性チップ（２５ｂ）と、
前記パワー半導体チップ（１０ａ）と前記ヒートシンク（６０）との間に延在すると共に前記高耐熱性チップ（２５ｂ）と前記ヒートシンク（６０）との間にも延在した共通の板状絶縁部材（３５ａｂｃ，３５ａｂ）と
を備え、
前記共通の板状絶縁部材（３５ａｂｃ，３５ａｂ）のうちで前記高耐熱性チップ（２５ｂ）に面する部分（３８ｂ）は、前記共通の板状絶縁部材（３５ａｂｃ，３５ａｂ）のうちで前記パワー半導体チップ（１０ａ）に面する部分（３３ａ）に比べて厚い、半導体モジュール（１Ｆ，１Ｈ，１Ｊ）。
【発明の詳細な説明】
【技術分野】
【０００１】
本発明は半導体モジュールに関する。
【背景技術】
【０００２】
従来のパワー半導体モジュールでは、パワー半導体チップと絶縁基板とヒートシンクとが積層されている。具体的には、絶縁基板は両主面に金属層を有した板状絶縁部材で構成されており、一方の金属層にパワー半導体チップが接合され、他方の金属層にヒートシンクが接合されている。上記一方の金属層は、パワー半導体チップが接合される部分の他に配線を提供する部分も有した所定パターンに形成されている。
【発明の概要】
【発明が解決しようとする課題】
【０００３】
上記ヒートシンクは例えば銅等の金属で構成される。このため、ヒートシンクは、板状絶縁部材を介してパワー半導体チップと容量性の電気的結合を形成すると共に、板状絶縁部材を介して上記配線（上記のように板状絶縁部材上の一方の金属層によって提供される）とも容量性の電気的結合を形成する。したがって、パワー半導体チップと配線とが、板状絶縁部材およびヒートシンクを介して、容量的に結合することになる。【０００４】
そのような容量性結合は、例えば、パワー半導体チップのスイッチングに伴うノイズを配線へ伝える経路になる場合がある。配線に伝わったノイズが当該配線からパワー半導体チップに印加されると、パワー半導体モジュールが誤作動を起こす懸念がある。【０００５】
パワー半導体チップと配線との間の上記容量性結合は、板状絶縁部材を厚くすれば、低減可能である。すなわち、パワー半導体チップと配線との間の絶縁性を向上可能である。しかし、板状絶縁部材を厚くすると熱抵抗が増加し、そのためパワー半導体チップについての放熱性が低下してしまう。【０００６】
なお、板状絶縁部材およびヒートシンクを介した容量性結合は複数のパワー半導体チップ間においても形成される場合があり、その場合も上記と同様の問題が生じうる。【０００７】
かかる点に鑑み、本発明は絶縁性と放熱性の両方を確保可能な技術を提供することを目的とする。
【課題を解決するための手段】
【０００８】
本発明の一態様に係る半導体モジュールは、導電性を有するヒートシンクと、前記ヒートシンクの所定面の側に設けられたパワー半導体チップと、前記ヒートシンクの前記所定面の側に設けられており前記パワー半導体チップに比べて消費電力が低い低電力部と、前記パワー半導体チップと前記ヒートシンクとの間に延在した第１の板状絶縁部材と、前記低電力部と前記ヒートシンクとの間に延在した第２の板状絶縁部材とを含む。前記第２の板状絶縁部材のうちで前記低電力部に面する部分は、前記第１の板状絶縁部材のうちで前記パワー半導体チップに面する部分に比べて厚い。
【発明の効果】
【０００９】
上記一態様によれば、第１の板状絶縁部材によって、パワー半導体チップ下の熱抵抗を低減でき、放熱性を確保できる。それと共に、第２の板状絶縁部材によって、第１および第２の板状絶縁部材ならびにヒートシンクを介したパワー半導体チップと低電力部との間の容量性結合を低減でき、パワー半導体チップと低電力部との間の絶縁性を確保できる。【００１０】
本発明の目的、特徴、局面、および利点は、以下の詳細な説明と添付図面とによって、より明白となる。
【図面の簡単な説明】
【００１１】
【図１】実施の形態１に係る半導体モジュールを例示する断面図である。
【図２】実施の形態１に係る半導体モジュールを例示する上面図である。
【図３】実施の形態２に係る半導体モジュールを例示する断面図である。
【図４】実施の形態２の変形例に係る半導体モジュールを例示する断面図である。
【図５】実施の形態１の変形例に係る半導体モジュールを例示する断面図である。
【図６】実施の形態３に係る半導体モジュールを例示する断面図である。
【図７】実施の形態４に係る半導体モジュールを例示する断面図である。
【図８】実施の形態５に係る半導体モジュールを例示する断面図である。
【図９】実施の形態６に係る半導体モジュールを例示する断面図である。
【図１０】実施の形態７に係る半導体モジュールを例示する断面図である。
【図１１】実施の形態８に係る半導体モジュールを例示する断面図である。
【発明を実施するための形態】
【００１２】
＜実施の形態１＞
図１に、実施の形態１に係るパワー半導体モジュール（以下、半導体モジュールとも称する）１の断面図を例示する。図１の例によれば、半導体モジュール１は、パワー半導体チップ（以下、半導体チップとも称する）１０ａ，２０ｂと、板状絶縁部材３０ａｂ，３０ｃと、金属層４０ａｂ，５０ａｂ，４０ｃ，５０ｃと、ヒートシンク６０と、接合部材７２ａ，７２ｂ，７４ａｂ，７４ｃと、接続部材８２，８４，８６とを含んでいる。
【００１３】
パワー半導体チップ１０ａは互いに表裏の関係にある（換言すればチップ内部を介して対向する）チップ主面１１，１２を有し、同様にパワー半導体チップ２０ｂもチップ主面２１，２２を有している。図１の図示に合わせて、チップ主面１１，２１をチップ上面（または上面）１１，２１とも称し、チップ主面１２，２２をチップ下面（または下面）１２，２２とも称する。半導体チップ１０ａ，２０ｂの材料は例えば珪素（Ｓｉ）であるが、半導体チップ１０ａ，２０ｂの一方または両方が他の材料、例えば炭化珪素（ＳｉＣ）、窒化ガリウム（ＧａＮ）等のいわゆるワイドバンドギャップ材料で構成されてもよい。
【００１４】
半導体チップ１０ａ，２０ｂには、例えばＩＧＢＴ（Insulated Gate Bipolar Transistor）、ＭＯＳＦＥＴ（Metal Oxide Semiconductor Field Effect Transistor）、ダイオード等のパワー半導体素子が作り込まれている。半導体チップ１０ａ，２０ｂは同じ種類の素子であってもよいし、異なる種類の素子であってもよい。ＩＧＢＴの場合、例えば、チップ上面１１にＩＧＢＴのエミッタ電極およびゲート電極が設けられ、チップ下面１２にＩＧＢＴのコレクタ電極が設けられる。
【００１５】
チップ上面１１，２１の所定の電極が、接続部材８２によって、互いに接続されている。接続部材８２は図１の例ではボンディングワイヤであるが、導電性の板材等を用いてもよい。チップ下面１２，２２は、半田等の接合部材７２ａ，７２ｂによって、板状絶縁部材３０ａｂ上に設けられた金属層４０ａｂに接合されている。
【００１６】
板状絶縁部材３０ａｂは、互いに表裏の関係にある主面３１ａｂ，３２ａｂを有している。図１の図示に合わせて、主面３１ａｂを上面３１ａｂとも称し、主面３２ａｂを下面３２ａｂとも称する。ここでは主面３１ａｂ，３２ａｂが平坦面であり平行をなしている場合を例示し、その場合、板状絶縁部材３０ａｂの厚さは部材全体に渡って均一である。板状絶縁部材３０ａｂは例えばフィラーが充填されたエポキシ樹脂、セラミック等の絶縁性材料で構成されている。
【００１７】
板状絶縁部材３０ａｂの上面３１ａｂに金属層４０ａｂが接合されており、板状絶縁部材３０ａｂの下面３２ａｂに金属層５０ａｂが接合されている。金属層４０ａｂ，５０ａｂは例えば銅等で構成されている。金属層４０ａｂ，５０ａｂは、半田等の接合部材７２ａ，７２ｂ，７４ａｂによる接合の下地として機能する。また、図１の例では、金属層４０ａｂは、チップ下面１２，２２の電極を互いに接続する配線としても機能する。これらの機能が実現可能であれば、金属以外の材料を採用してもよい。
【００１８】
なお、板状絶縁部材３０ａｂと金属層４０ａｂ，５０ａｂとの積層体が、絶縁基板と称される場合もある。
【００１９】
板状絶縁部材３０ｃは、互いに表裏の関係にある主面３１ｃ，３２ｃを有している。図１の図示に合わせて、主面３１ｃを上面３１ｃとも称し、主面３２ｃを下面３２ｃとも称する。ここでは主面３１ｃ，３２ｃが平坦面であり平行をなしている場合を例示し、その場合、板状絶縁部材３０ｃの厚さは部材全体に渡って均一である。板状絶縁部材３０ｃは例えば板状絶縁部材３０ａｂと同様の材料で構成されている。
【００２０】
板状絶縁部材３０ｃの上面３１ｃに金属層４０ｃが接合されており、板状絶縁部材３０ｃの下面３２ｃに金属層５０ｃが接合されている。金属層４０ｃ，５０ｃは例えば金属層４０ａｂ，５０ａｂと同じ材料で構成されている。
【００２１】
金属層４０ｃは所定の配線パターンに形成されており、このため金属層４０ｃを配線層４０ｃ、配線パターン４０ｃ等と称してもよい。かかる点に鑑みると、配線層４０ｃは金属以外の導電材料で構成されてもよい。図１の例では、金属層４０ｃによる配線パターンが３つの配線部分４１，４２，４３を有し、配線部分４２，４３が接続部材８４，８６によって半導体チップ１０ａの上面１１に接続されている。接続部材８４，８６は、図１の例ではボンディングワイヤであるが、導電性の板材等を用いてもよい。
【００２２】
金属層５０ｃは半田等の接合部材７４ｃによる接合の下地として機能し、かかる機能が実現可能であれば金属以外の材料を採用してもよい。
【００２３】
なお、板状絶縁部材３０ｃと金属層４０ｃ，５０ｃとの積層体が、絶縁基板と称される場合もある。
【００２４】
ヒートシンク６０は、例えば銅等の導電性材料で構成されている。ヒートシンク６０は、図１の例では板状をしており、互いに表裏の関係にある主面６１，６２を有している。図１の図示に合わせて、主面６１を上面６１とも称し、主面６２を下面６２とも称する。ここでは主面６１，６２が平坦面である場合を例示するが、例えば下面６２はフィン形状であってもよい。
【００２５】
ヒートシンク６０の上面６１上には、板状絶縁部材３０ａｂ，３０ｃが搭載されている。具体的には、板状絶縁部材３０ａｂの下面３２ａｂに設けられた金属層５０ａｂが接合部材７４ａｂによってヒートシンク６０の上面６１に接合されており、板状絶縁部材３０ｃの下面３２ｃに設けられた金属層５０ｃが接合部材７４ｃによってヒートシンク６０の上面６１に接合されている。接合部材７４ａｂ，７４ｃは例えば半田である。これによれば、ヒートシンク６０の上面６１と板状絶縁部材３０ａｂ，３０ｃの下面３２ａｂ，３２ｃとが対面している。
【００２６】
ヒートシンク６０の上面６１上の構成は不図示のケース、封止樹脂等の封止部材内に収容される。但し、ヒートシンク６０の下面６２は当該封止部材から露出される。なお、封止部材から不図示の外部端子が引き出される。
【００２７】
なお、図１には２つの半導体チップ１０ａ，２０ｂが例示されているが、半導体モジュール１は半導体チップを１個だけ含んでもよいし、あるいは、３個以上の半導体チップを含んでもよい。例えば半導体チップ１０ａだけが設けられる場合、図１の例から半導体チップ２０ｂと接合部材７２ｂと接続部材８２とが省略される。また、図２に例示する上面図では半導体チップ１０ａ，２０ｂの組み合わせが３組図示されている。なお、図２の例では、板状絶縁部材３０ｃ上に３つの配線部分４２が設けられ、各配線部分４２と配線部分４１との間にバランス抵抗４４が接続されている。
【００２８】
ここで、半導体モジュール１に搭載された回路のうちで板状絶縁部材３０ｃの上面３１ｃ上に配置された構成部分９０ｃ（図１の例では配線層４０ｃが含まれ、図２の例では更にバランス抵抗４４が含まれる）は、半導体チップ１０ａ，２０ｂに比べて消費電力（換言すれば、扱う電力）が低い。このため、当該構成部分９０ｃを低電力部９０ｃとも称することにする。
【００２９】
低電力部９０ｃは、図１および図２の例では、半導体チップ１０ａに所定信号（例えばゲート信号等の制御信号）を供給する部分である。かかる信号供給部は例えば各種回路（例えば外部入力信号から半導体チップ１０ａ用の制御信号を生成する回路）を含んでもよい。また、低電力部９０ｃは、上記信号供給部に加えてあるいは替えて、例えば半導体チップ１０ａ，２０ｂの一方または両方から所定信号（例えばチップ温度に関する信号）を取得する信号取得部分を含んでもよい。また、低電力部９０ｃは、例えば、外部端子が接続されるパッド部（金属層４０ｃによって形成可能である）を更に含んでもよく、あるいは、そのようなパッド部だけを含んでもよい。
【００３０】
なお、外部端子と半導体チップ１０ａ，２０ｂとの接続は、低電力部９０ｃ内の上記パッド部を利用せずに、直接的な接合またはボンディングワイヤ等を介した間接的な接続によっても、実現可能である。
【００３１】
このように低電力部９０ｃは種々の構成を採用可能であるが、上記のように半導体チップ１０ａ，２０ｂに比べて消費電力が低く、よって半導体チップ１０ａ，２０ｂに比べて発熱が小さい。
【００３２】
半導体モジュール１の上記構成によれば、半導体チップ１０ａ，２０ｂと低電力部９０ｃの両方がヒートシンク６０の上面６１の側に設けられており、半導体チップ１０ａ，２０ｂとヒートシンク６０との間に板状絶縁部材３０ａｂが延在しており、低電力部９０ｃとヒートシンク６０との間に板状絶縁部材３０ｃが延在している。また、板状絶縁部材３０ｃのうちで低電力部９０ｃに面する部分３３ｃの厚さｔｃは、板状絶縁部材３０ａｂのうちで半導体チップ１０ａ，２０ｂに面する部分３３ａｂの厚さｔａｂに比べて大きい（ｔｃ＞ｔａｂ）。
【００３３】
したがって、半導体チップ１０ａ，２０ｂ用の薄い板状絶縁部材３０ａｂによって、半導体チップ１０ａ，２０ｂ下の熱抵抗を低減できる。よって、半導体チップ１０ａ，２０ｂについての放熱性を確保できる。更に、低電力部９０ｃは半導体チップ１０ａ，２０ｂに比べて発熱が小さいことに鑑み、低電力部９０ｃ用に厚い板状絶縁部材３０ｃを採用することによって、板状絶縁部材３０ａｂ，３０ｃおよびヒートシンク６０を介した半導体チップ１０ａ，２０ｂと低電力部９０ｃとの間の容量性結合を低減できる。よって、半導体チップ１０ａ，２０ｂと低電力部９０ｃとの間の絶縁性を確保できる。このように、半導体モジュール１によれば、放熱性と絶縁性の両方を確保できる。
【００３４】
なお、図１の例では板状絶縁部材３０ａｂ，３０ｃが離間しているが、これらの板状絶縁部材３０ａｂ，３０ｃは接触していても構わない。かかる変形は後述の各種の半導体モジュールにも適用可能である。
【００３５】
＜実施の形態２＞
図３に、実施の形態２に係る半導体モジュール１Ｂの断面図を例示する。半導体モジュール１Ｂは、実施の形態１で例示した半導体モジュール１（図１参照）において板状絶縁部材３０ａｂ，３０ｃを板状絶縁部材３０ａｂｃに変更した構成を有している。半導体モジュール１Ｂのその他の構成は基本的に上記半導体モジュール１と同様である。
【００３６】
板状絶縁部材３０ａｂｃは、概略的には、実施の形態１で例示した板状絶縁部材３０ａｂ，３０ｃ（図１参照）を一体化した部材に相当する。すなわち、板状絶縁部材３０ａｂｃは、半導体チップ１０ａ，２０ｂとヒートシンク６０との間に延在すると共に、低電力部９０ｃとヒートシンク６０との間にも延在している。板状絶縁部材３０ａｂｃは、互いに表裏の関係にある主面３１ａｂｃ，３２ａｂｃを有している。図３の図示に合わせて、主面３１ａｂｃを上面３１ａｂｃとも称し、主面３２ａｂｃを下面３２ａｂｃとも称する。
【００３７】
かかる共通の板状絶縁部材３０ａｂｃにおいて、低電力部９０ｃに面する部分３３ｃの厚さｔｃが、半導体チップ１０ａ，２０ｂに面する部分３３ａｂの厚さｔａｂに比べて大きい（ｔｃ＞ｔａｂ）。図３の例では、板状絶縁部材３０ａｂｃの上面３１ａｂｃにおいて、半導体チップ１０ａ，２０ｂに面する領域が、低電力部９０ｃに面する領域に比べて、下面３２ａｂｃ寄りに位置している。図３の例では、いずれの領域も平坦である。他方、板状絶縁部材３０ａｂｃの下面３２ａｂｃは図３の例では平坦である。上面３１ａｂｃおよび下面３２ａｂｃのかかる形状によって、共通の板状絶縁部材３０ａｂｃ中に異なる厚さが形成されている。
【００３８】
かかる厚さの違いは、例えば、硬化前の板状絶縁部材を２段階で圧延することによって形成可能である。具体的には、硬化前の板状絶縁部材を、まず上記厚い部分３３ｃの厚さに合わせて圧延し、その後、所定部分を上記薄い部分３３ａｂの厚さに合わせて再度圧延する。
【００３９】
半導体モジュール１Ｂによれば、上記半導体モジュール１と同様に、放熱性と絶縁性の両方を確保できる。具体的には、板状絶縁部材３０ａｂｃのうちで半導体チップ１０ａ，２０ｂに面する薄い部分３３ａｂによって、半導体チップ１０ａ，２０ｂ下の熱抵抗を低減できる。よって、半導体チップ１０ａ，２０ｂについての放熱性を確保できる。更に、板状絶縁部材３０ａｂｃのうちで低電力部９０ｃに面する厚い部分３３ｃによって、板状絶縁部材３０ａｂｃおよびヒートシンク６０を介した半導体チップ１０ａ，２０ｂと低電力部９０ｃとの間の容量性結合を低減できる。よって、半導体チップ１０ａ，２０ｂと低電力部９０ｃとの間の絶縁性を確保できる。
【００４０】
なお、板状絶縁部材３０ａｂｃの下面３２ａｂｃ側の金属層５０ａｂ，５０ｃは一続きの金属層に変更可能である。その場合、接合部材７４ａｂ，７４ｃも一続きの接合部材に変更可能である。かかる変形は後述の各種の半導体モジュールにも適用可能である。
【００４１】
＜実施の形態１，２の変形例＞
図３に例示した半導体モジュール１Ｂは、板状絶縁部材３０ａｂｃの上面３１ａｂｃの端部に、突出部分３４を有している。かかる突出部分３４は、半導体チップ１０ａ，２０ｂに面する薄い部分３３ａｂを囲むように設けられている。なお、突出部分３４の厚さは、図３の例ではｔｃに設定されているが、かかる例に限定されるものではない。
【００４２】
これに対し、図４に例示する実施の形態２の変形例に係る半導体モジュール１Ｃのように、上記突出部分３４を省略することも可能である。
【００４３】
突出部分３４によれば、薄い部分３３ａｂの上面３１ａｂｃ側と下面３２ａｂｃ側との沿面距離（板状絶縁部材３０ａｂｃの端面を介した距離）を長くすることが可能である。このため、上面３１ａｂｃ側の電位と下面３２ａｂｃ側の電位との間で沿面の絶縁性を確保することが可能である。
【００４４】
一方、突出部分３４を有さない場合には、板状絶縁部材３０ａｂｃの形状が単純化され、板状絶縁部材３０ａｂｃの製造が容易になる。
【００４５】
突出部分３４は、実施の形態１で例示した半導体モジュール１にも採用可能である。図５に、そのような変形を加えた半導体モジュール１Ｄを例示する。図５の例では、半導体チップ１０ａ，２０ｂ用の板状絶縁部材３０ａｂの上面３１ａｂの端部に、突出部分３４が設けられている。
【００４６】
＜実施の形態３＞
さて、炭化珪素（ＳｉＣ）、窒化ガリウム（ＧａＮ）等のいわゆるワイドバンドギャップ材料で構成された半導体チップは、珪素（Ｓｉ）で構成された半導体チップに比べて、高温動作が可能である。換言すれば、ワイドバンドギャップ半導体によれば、耐熱性の高いチップが提供される。実施の形態３では、耐熱性の異なる半導体チップが混在した半導体モジュールを説明する。以下では、耐熱性がより高い方の半導体チップを高耐熱性チップとも称し、耐熱性がより低い方の半導体チップを便宜上、低耐熱性チップとも称する。
【００４７】
図６に、実施の形態３に係る半導体モジュール１Ｅの断面図を例示する。半導体モジュール１Ｅは、実施の形態１で例示した半導体モジュール１（図１参照）において半導体チップ２０ｂを半導体チップ１０ａに比べて耐熱性の高い高耐熱性チップ２５ｂに変更した構成を有している。この例では、以下、半導体チップ１０ａを低耐熱性チップ１０ａとも称する。更に、半導体モジュール１Ｅでは、実施の形態１で例示した板状絶縁部材３０ａｂ等が低耐熱性チップ１０ａ用と高耐熱性チップ２５ｂ用とに分割されている。半導体モジュール１Ｅのその他の構成は基本的に上記半導体モジュール１と同様である。
【００４８】
詳細には、低耐熱性チップ１０ａ用の板状絶縁部材３０ａは、互いに表裏の関係にある主面３１ａ，３２ａを有している。図６の図示に合わせて、主面３１ａを上面３１ａとも称し、主面３２ａを下面３２ａとも称する。ここでは主面３１ａ，３２ａが平坦面であり平行をなしている場合を例示し、その場合、板状絶縁部材３０ａの厚さは部材全体に渡って均一である。
【００４９】
板状絶縁部材３０ａの上面３１ａに金属層４０ａが接合されており、当該金属層４０ａは接合部材７２ａによって低耐熱性チップ１０ａの下面１２と接合されている。また、板状絶縁部材３０ａの下面３２ａに金属層５０ａが接合されており、当該金属層５０ａは接合部材７４ａによってヒートシンク６０の上面６１と接合されている。
【００５０】
また、高耐熱性チップ２５ｂ用の板状絶縁部材３５ｂは、互いに表裏の関係にある主面３６ｂ，３７ｂを有している。図６の図示に合わせて、主面３６ｂを上面３６ｂとも称し、主面３７ｂを下面３７ｂとも称する。ここでは主面３６ｂ，３７ｂが平坦面であり平行をなしている場合を例示し、その場合、板状絶縁部材３５ｂの厚さは部材全体に渡って均一である。
【００５１】
板状絶縁部材３５ｂの上面３６ｂに金属層４０ｂが接合されており、当該金属層４０ｂは接合部材７２ｂによって高耐熱性チップ２５ｂの下面２２と接合されている。また、板状絶縁部材３５ｂの下面３７ａに金属層５０ｂが接合されており、当該金属層５０ｂは接合部材７４ｂによってヒートシンク６０の上面６１と接合されている。
【００５２】
なお、板状絶縁部材３０ａと金属層４０ａ，５０ａとの積層体と、板状絶縁部材３５ｂと金属層４０ｂ，５０ｂとの積層体とはそれぞれ、絶縁基板と称される場合もある。
【００５３】
半導体モジュール１Ｅの上記構成によれば、低耐熱性チップ１０ａとヒートシンク６０との間に板状絶縁部材３０ａが延在しており、高耐熱性チップ２５ｂとヒートシンク６０との間に板状絶縁部材３５ｂが延在しており、低電力部９０ｃとヒートシンク６０との間に板状絶縁部材３０ｃが延在している。
【００５４】
また、板状絶縁部材３０ｃのうちで低電力部９０ｃに面する部分３３ｃの厚さｔｃは、板状絶縁部材３０ａのうちで低耐熱性チップ１０ａに面する部分３３ａの厚さｔａに比べて大きい（ｔｃ＞ｔａ）。また、板状絶縁部材３５ｂのうちで高耐熱性チップ２５ｂに面する部分３８ｂの厚さｔｂは、板状絶縁部材３０ａのうちで低耐熱性チップ１０ａに面する部分３３ａの厚さｔａに比べて大きい（ｔｂ＞ｔａ）。なお、図６の例ではｔｂ＝ｔｃであるが、この例に限定されるものではない。
【００５５】
半導体モジュール１Ｅによれば、低耐熱性チップ１０ａと低電力部９０ｃと板状絶縁部材３０ａ，３０ｃとヒートシンク６０との関係は実施の形態１と同様であるので、半導体モジュール１Ｅは実施の形態１と同様の効果を奏する。
【００５６】
特に高耐熱性チップ２５ｂ用の板状絶縁部材３５ｂは低耐熱性チップ１０ａ用の板状絶縁部材３０ａに比べて厚いので、板状絶縁部材３５ｂを介した高耐熱性チップ２５ｂとヒートシンク６０との間の容量性結合を、板状絶縁部材３０ａを介した低耐熱性チップ２０ａとヒートシンク６０との間の容量性結合に比べて低減可能である。よって、高耐熱性チップ２５ｂと低電力部９０ｃとの間の絶縁性、更には高耐熱性チップ２５ｂと低耐熱性チップ１０ａとの間の絶縁性を確保できる。
【００５７】
ここで、厚い板状絶縁部材３５ｂによれば熱抵抗が大きくなるが、高耐熱性チップ２５ｂは低耐熱性チップ１０ａに比べて高温動作が可能であるので、高耐熱性チップ２５ｂの正常動作を確保可能である。
【００５８】
＜実施の形態４＞
図７に、実施の形態４に係る半導体モジュール１Ｆの断面図を例示する。半導体モジュール１Ｆは、実施の形態３で例示した半導体モジュール１Ｅ（図６参照）において板状絶縁部材３０ａ，３５ｂ，３０ｃを板状絶縁部材３５ａｂｃに変更した構成を有している。半導体モジュール１Ｆのその他の構成は基本的に上記半導体モジュール１Ｅと同様である。
【００５９】
板状絶縁部材３５ａｂｃは、概略的には、実施の形態３で例示した板状絶縁部材３０ａ，３５ｂ，３０ｃ（図６参照）を一体化した部材に相当する。すなわち、板状絶縁部材３５ａｂｃは、低耐熱性チップ１０ａとヒートシンク６０との間に延在し、更に低電力部９０ｃとヒートシンク６０との間にも延在し、更に高耐熱性チップ２５ｂとヒートシンク６０との間にも延在している。板状絶縁部材３５ａｂｃは、互いに表裏の関係にある主面３６ａｂｃ，３７ａｂｃを有している。図７の図示に合わせて、主面３６ａｂｃを上面３６ａｂｃとも称し、主面３７ａｂｃを下面３７ａｂｃとも称する。
【００６０】
板状絶縁部材３５ａｂｃのうちで低電力部９０ｃに面する部分３３ｃの厚さｔｃは、板状絶縁部材３５ａｂｃのうちで低耐熱性チップ１０ａに面する部分３３ａの厚さｔａに比べて大きい（ｔｃ＞ｔａ）。また、板状絶縁部材３５ａｂｃのうちで高耐熱性チップ２５ｂに面する部分３８ｂの厚さｔｂは、板状絶縁部材３５ａｂｃのうちで低耐熱性チップ１０ａに面する部分３３ａの厚さｔａに比べて大きい（ｔｂ＞ｔａ）。なお、図７の例ではｔｂ＝ｔｃであるが、この例に限定されるものではない。
【００６１】
図７の例では、板状絶縁部材３５ａｂｃの上面３６ａｂｃにおいて、低耐熱性チップ１０ａに面する領域が、低電力部９０ｃに面する領域および高耐熱性チップ２５ｂに面する領域に比べて、下面３７ｂａｃ寄りに位置している。図７の例では、いずれの領域も平坦である。他方、板状絶縁部材３５ａｂｃの下面３７ａｂｃは図７の例では平坦である。上面３６ａｂｃおよび下面３７ａｂｃのかかる形状によって、共通の板状絶縁部材３５ａｂｃ中に異なる厚さが形成されている。かかる厚さの違いは、例えば、実施の形態２で例示した板状絶縁部材３０ａｂｃ（図３参照）と同様に形成可能である。
【００６２】
半導体モジュール１Ｆによれば、低耐熱性チップ１０ａと高耐熱性チップ２５ｂと低電力部９０ｃと板状絶縁部材３５ａｂｃとヒートシンク６０との関係は実施の形態３と同様であるので、半導体モジュール１Ｆは実施の形態３と同様の効果を奏する。
【００６３】
＜実施の形態５＞
図８に、実施の形態５に係る半導体モジュール１Ｇの断面図を例示する。半導体モジュール１Ｇは、実施の形態３で例示した半導体モジュール１Ｅ（図６参照）において板状絶縁部材３０ａ，３０ｃを板状絶縁部材３０ａｃに変更した構成を有している。半導体モジュール１Ｇのその他の構成は基本的に上記半導体モジュール１Ｅと同様である。
【００６４】
板状絶縁部材３０ａｃは、概略的には、実施の形態３で例示した板状絶縁部材３０ａ，３０ｃ（図６参照）を一体化した部材に相当する。すなわち、板状絶縁部材３０ａｃは、低耐熱性チップ１０ａとヒートシンク６０との間に延在すると共に、低電力部９０ｃとヒートシンク６０との間にも延在している。板状絶縁部材３０ａｃは、互いに表裏の関係にある主面３１ａｃ，３２ａｃを有している。図８の図示に合わせて、主面３１ａｃを上面３１ａｃとも称し、主面３２ａｃを下面３２ａｃとも称する。
【００６５】
板状絶縁部材３０ａｃのうちで低電力部９０ｃに面する部分３３ｃの厚さｔｃは、板状絶縁部材３０ａｃのうちで低耐熱性チップ１０ａに面する部分３３ａの厚さｔａに比べて大きい（ｔｃ＞ｔａ）。図８の例では、板状絶縁部材３０ａｃの上面３１ａｃにおいて、低耐熱性チップ１０ａに面する領域が、低電力部９０ｃに面する領域に比べて、下面３２ａｃ寄りに位置している。図８の例では、いずれの領域も平坦である。他方、板状絶縁部材３０ａｃの下面３２ａｃは図８の例では平坦である。上面３１ａｃおよび下面３２ａｃのかかる形状によって、共通の板状絶縁部材３０ａｃ中に異なる厚さが形成されている。かかる厚さの違いは、例えば、実施の形態２で例示した板状絶縁部材３０ａｂｃ（図３参照）と同様に形成可能である。
【００６６】
半導体モジュール１Ｇによれば、低耐熱性チップ１０ａと高耐熱性チップ２５ｂと低電力部９０ｃと板状絶縁部材３０ａｃ，３５ｂとヒートシンク６０との関係は実施の形態３と同様であるので、半導体モジュール１Ｇは実施の形態３と同様の効果を奏する。
【００６７】
＜実施の形態６＞
図９に、実施の形態６に係る半導体モジュール１Ｈの断面図を例示する。半導体モジュール１Ｈは、実施の形態３で例示した半導体モジュール１Ｅ（図６参照）において板状絶縁部材３０ａ，３５ｂを板状絶縁部材３５ａｂに変更した構成を有している。半導体モジュール１Ｈのその他の構成は基本的に上記半導体モジュール１Ｅと同様である。
【００６８】
板状絶縁部材３５ａｂは、概略的には、実施の形態３で例示した板状絶縁部材３０ａ，３５ｂ（図６参照）を一体化した部材に相当する。すなわち、板状絶縁部材３５ａｂは、低耐熱性チップ１０ａとヒートシンク６０との間に延在すると共に、高耐熱性チップ２５ｂとヒートシンク６０との間にも延在している。板状絶縁部材３５ａｂは、互いに表裏の関係にある主面３６ａｂ，３７ａｂを有している。図９の図示に合わせて、主面３６ａｂを上面３６ａｂとも称し、主面３７ａｂを下面３７ａｂとも称する。
【００６９】
板状絶縁部材３５ａｂのうちで高耐熱性チップ２５ｂに面する部分３８ｂの厚さｔｂは、板状絶縁部材３５ａｂのうちで低耐熱性チップ１０ａに面する部分３３ａの厚さｔａに比べて大きい（ｔｂ＞ｔａ）。図９の例では、板状絶縁部材３５ａｂの上面３６ａｂにおいて、低耐熱性チップ１０ａに面する領域が、高耐熱性チップ２５ｂに面する領域に比べて、下面３７ａｂ寄りに位置している。図９の例では、いずれの領域も平坦である。他方、板状絶縁部材３５ａｂの下面３７ａｂは図９の例では平坦である。上面３６ａｂおよび下面３７ａｂのかかる形状によって、共通の板状絶縁部材３５ａｂ中に異なる厚さが形成されている。かかる厚さの違いは、例えば、実施の形態２で例示した板状絶縁部材３０ａｂｃ（図３参照）と同様に形成可能である。
【００７０】
半導体モジュール１Ｈによれば、低耐熱性チップ１０ａと高耐熱性チップ２５ｂと低電力部９０ｃと板状絶縁部材３５ａｂ，３０ｃとヒートシンク６０との関係は実施の形態３と同様であるので、半導体モジュール１Ｈは実施の形態３と同様の効果を奏する。
【００７１】
＜実施の形態７＞
図１０に、実施の形態７に係る半導体モジュール１Ｉの断面図を例示する。半導体モジュール１Ｉは、実施の形態３で例示した半導体モジュール１Ｅ（図６参照）から、低電力部９０ｃと板状絶縁部材３０ｃと金属層５０ｃと接合部材７４ｃと接続部材８４，８６とを省略した構成を有している。半導体モジュール１Ｉのその他の構成は基本的に上記半導体モジュール１Ｅと同様である。
【００７２】
なお、半導体モジュール１Ｉの構成は、実施の形態５で例示した半導体モジュール１Ｇ（図８参照）から、低電力部９０ｃと金属層５０ｃと接合部材７４ｃと接続部材８４，８６とを省略すると共に、板状絶縁部材３０ａｃのうちで低電力部９０ｃ用の上記厚い部分３３ｃを省略した構成と捉えることも可能である。
【００７３】
半導体モジュール１Ｉによれば、低耐熱性チップ１０ａと高耐熱性チップ２５ｂと板状絶縁部材３０ａ，３５ｂとヒートシンク６０との関係は実施の形態３と同様であるので、半導体モジュール１Ｉは実施の形態３と同様の効果を奏する。
【００７４】
＜実施の形態８＞
図１１に、実施の形態８に係る半導体モジュール１Ｊの断面図を例示する。半導体モジュール１Ｊは、実施の形態６で例示した半導体モジュール１Ｈ（図９参照）から、低電力部９０ｃと板状絶縁部材３０ｃと金属層５０ｃと接合部材７４ｃと接続部材８４，８６とを省略した構成を有している。半導体モジュール１Ｊのその他の構成は基本的に上記半導体モジュール１Ｈと同様である。
【００７５】
なお、半導体モジュール１Ｊの構成は、実施の形態４で例示した半導体モジュール１Ｆ（図７参照）から、低電力部９０ｃと金属層５０ｃと接合部材７４ｃと接続部材８４，８６とを省略すると共に、板状絶縁部材３５ａｂｃのうちで低電力部９０ｃ用の上記厚い部分３３ｃを省略した構成と捉えることも可能である。
【００７６】
半導体モジュール１Ｊによれば、低耐熱性チップ１０ａと高耐熱性チップ２５ｂと板状絶縁部材３５ａｂとヒートシンク６０との関係は実施の形態３と同様であるので、半導体モジュール１Ｊは実施の形態３と同様の効果を奏する。
【００７７】
＜実施の形態３〜８の変形例＞
実施の形態１，２の変形例で例示した突出部分３４（図３および図５参照）は、実施の形態３〜８にも採用可能である。
【００７８】
＜実施の形態１〜８の変形例＞
本発明は、その発明の範囲内において、各実施の形態を自由に組み合わせたり、各実施の形態を適宜、変形、省略することが可能である。
【符号の説明】
【００７９】
１，１Ｂ〜１Ｊ  半導体モジュール、１０ａ，２０ｂ  パワー半導体チップ、２５ｂ  高耐熱性チップ、３０ａｂ，３０ｃ，３０ａｂｃ，３０ａ，３５ｂ，３５ａｂｃ，３０ａｃ，３５ａｂ  板状絶縁部材、６０  ヒートシンク、６１  主面（所定面）、９０ｃ  低電力部、３３ａｂ，３３ａ  パワー半導体チップに面する部分、３３ｃ  低電力部に面する部分、３８ｂ  高耐熱性チップに面する部分、ｔａｂ，ｔｃ，ｔａ，ｔｂ  厚さ。
【図１】
2013132644.tif 000003
【図２】
2013132644.tif 000004
【図３】
2013132644.tif 000005
【図４】
2013132644.tif 000006
【図５】
2013132644.tif 000007
【図６】
2013132644.tif 000008
【図７】
2013132644.tif 000009
【図８】
2013132644.tif 000010
【図９】
2013132644.tif 000011
【図１０】
2013132644.tif 000012
【図１１】
2013132644.tif 000013
【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
導電性を有するヒートシンク（６０）と、
前記ヒートシンク（６０）の所定面（６１）の側に設けられたパワー半導体チップ（１０ａ，２０ｂ）と、
前記ヒートシンク（６０）の前記所定面（６１）の側に設けられており前記パワー半導体チップ（１０ａ，２０ｂ）に比べて消費電力が低い低電力部（９０ｃ）と、
前記パワー半導体チップ（１０ａ，２０ｂ）と前記ヒートシンク（６０）との間に延在した第１の板状絶縁部材（３０ａｂ，３０ａ，３５ａｂ）と、
前記低電力部（９０ｃ）と前記ヒートシンク（６０）との間に延在した第２の板状絶縁部材（３０ｃ）と
を備え、
前記第２の板状絶縁部材（３０ｃ）のうちで前記低電力部（９０ｃ）に面する部分（３３ｃ）は、前記第１の板状絶縁部材（３０ａｂ，３０ａ，３５ａｂ）のうちで前記パワー半導体チップ（１０ａ，２０ｂ）に面する部分（３３ａｂ，３３ａ）に比べて厚く、
前記ヒートシンク（６０）の前記所定面（６１）の側に設けられており前記パワー半導体チップ（１０ａ）に比べて耐熱性が高い高耐熱性チップ（２５ｂ）と、
前記高耐熱性チップ（２５ｂ）と前記ヒートシンク（６０）との間に延在した第３の板状絶縁部材（３５ｂ）と
を更に備え、
前記第３の板状絶縁部材（３５ｂ）のうちで前記高耐熱性チップ（２５ｂ）に面する部分（３８ｂ）は、前記第１の板状絶縁部材（３０ａ）のうちで前記パワー半導体チップ（１０ａ）に面する前記部分（３３ａ）に比べて厚い、半導体モジュール（１Ｅ）。
【請求項２】
導電性を有するヒートシンク（６０）と、
前記ヒートシンク（６０）の所定面（６１）の側に設けられたパワー半導体チップ（１０ａ，２０ｂ）と、
前記ヒートシンク（６０）の前記所定面（６１）の側に設けられており前記パワー半導体チップ（１０ａ，２０ｂ）に比べて消費電力が低い低電力部（９０ｃ）と、
前記パワー半導体チップ（１０ａ，２０ｂ）と前記ヒートシンク（６０）との間に延在した第１の板状絶縁部材（３０ａｂ，３０ａ，３５ａｂ）と、
前記低電力部（９０ｃ）と前記ヒートシンク（６０）との間に延在した第２の板状絶縁部材（３０ｃ）と
を備え、
前記第２の板状絶縁部材（３０ｃ）のうちで前記低電力部（９０ｃ）に面する部分（３３ｃ）は、前記第１の板状絶縁部材（３０ａｂ，３０ａ，３５ａｂ）のうちで前記パワー半導体チップ（１０ａ，２０ｂ）に面する部分（３３ａｂ，３３ａ）に比べて厚く、
前記ヒートシンク（６０）の前記所定面（６１）の側に設けられており前記パワー半導体チップ（１０ａ）に比べて耐熱性が高い高耐熱性チップ（２５ｂ）を更に備え、
前記第１の板状絶縁部材（３５ａｂ）は前記高耐熱性チップ（２５ｂ）と前記ヒートシンク（６０）との間にも延在しており、
前記第１の板状絶縁部材（３５ａｂ）のうちで前記高耐熱性チップ（２５ｂ）に面する部分（３８ｂ）は、前記第１の板状絶縁部材（３５ａｂ）のうちで前記パワー半導体チップ（１０ａ）に面する前記部分（３３ａ）に比べて厚い、半導体モジュール（１Ｈ）。
【請求項３】
導電性を有するヒートシンク（６０）と、
前記ヒートシンク（６０）の所定面（６１）の側に設けられたパワー半導体チップ（１０ａ，２０ｂ）と、
前記ヒートシンク（６０）の前記所定面（６１）の側に設けられており前記パワー半導体チップ（１０ａ，２０ｂ）に比べて消費電力が低い低電力部（９０ｃ）と、
前記パワー半導体チップ（１０ａ，２０ｂ）と前記ヒートシンク（６０）との間に延在すると共に前記低電力部（９０ｃ）と前記ヒートシンク（６０）との間にも延在した共通の板状絶縁部材（３０ａｂｃ，３５ａｂｃ，３０ａｃ）と
を備え、
前記共通の板状絶縁部材（３０ａｂｃ，３５ａｂｃ，３０ａｃ）のうちで前記低電力部（９０ｃ）に面する部分（３３ｃ）は、前記共通の板状絶縁部材（３０ａｂｃ，３５ａｂｃ，３０ａｃ）のうちで前記パワー半導体チップ（１０ａ，２０ｂ）に面する部分（３３ａｂ，３３ａ）に比べて厚く、
前記ヒートシンク（６０）の前記所定面（６１）の側に設けられており前記パワー半導体チップ（１０ａ）に比べて耐熱性が高い高耐熱性チップ（２５ｂ）を更に備え、
前記共通の板状絶縁部材（３５ａｂｃ）は前記高耐熱性チップ（２５ｂ）と前記ヒートシンク（６０）との間にも延在しており、
前記共通の板状絶縁部材（３５ａｂｃ）のうちで前記高耐熱性チップ（２５ｂ）に面する部分（３８ｂ）は、前記共通の板状絶縁部材（３５ａｂｃ）のうちで前記パワー半導体チップ（１０ａ）に面する前記部分（３３ａ）に比べて厚い、半導体モジュール（１Ｆ）。
【請求項４】
導電性を有するヒートシンク（６０）と、
前記ヒートシンク（６０）の所定面（６１）の側に設けられたパワー半導体チップ（１０ａ，２０ｂ）と、
前記ヒートシンク（６０）の前記所定面（６１）の側に設けられており前記パワー半導体チップ（１０ａ，２０ｂ）に比べて消費電力が低い低電力部（９０ｃ）と、
前記パワー半導体チップ（１０ａ，２０ｂ）と前記ヒートシンク（６０）との間に延在すると共に前記低電力部（９０ｃ）と前記ヒートシンク（６０）との間にも延在した共通の板状絶縁部材（３０ａｂｃ，３５ａｂｃ，３０ａｃ）と
を備え、
前記共通の板状絶縁部材（３０ａｂｃ，３５ａｂｃ，３０ａｃ）のうちで前記低電力部（９０ｃ）に面する部分（３３ｃ）は、前記共通の板状絶縁部材（３０ａｂｃ，３５ａｂｃ，３０ａｃ）のうちで前記パワー半導体チップ（１０ａ，２０ｂ）に面する部分（３３ａｂ，３３ａ）に比べて厚く、
前記ヒートシンク（６０）の前記所定面（６１）の側に設けられており前記パワー半導体チップ（１０ａ）に比べて耐熱性が高い高耐熱性チップ（２５ｂ）と、
前記高耐熱性チップ（２５ｂ）と前記ヒートシンク（６０）との間に延在した別の板状絶縁部材（３５ｂ）と
を更に備え、
前記別の板状絶縁部材（３５ｂ）のうちで前記高耐熱性チップ（２５ｂ）に面する部分（３８ｂ）は、前記共通の板状絶縁部材（３０ａｃ）のうちで前記パワー半導体チップ（１０ａ）に面する前記部分（３３ａ）に比べて厚い、半導体モジュール（１Ｇ）。
【請求項５】
導電性を有するヒートシンク（６０）と、
前記ヒートシンク（６０）の所定面（６１）の側に設けられたパワー半導体チップ（１０ａ）と、
前記ヒートシンク（６０）の前記所定面（６１）の側に設けられており前記パワー半導体チップ（１０ａ）に比べて耐熱性が高い高耐熱性チップ（２５ｂ）と、
前記パワー半導体チップ（１０ａ）と前記ヒートシンク（６０）との間に延在した板状絶縁部材（３０ａ，３０ａｃ）と、
前記高耐熱性チップ（２５ｂ）と前記ヒートシンク（６０）との間に延在した別の板状絶縁部材（３５ｂ）と
を備え、
前記別の板状絶縁部材（３５ｂ）のうちで前記高耐熱性チップ（２５ｂ）に面する部分（３８ｂ）は、前記板状絶縁部材（３０ａ，３０ａｃ）のうちで前記パワー半導体チップ（１０ａ）に面する部分（３３ａ）に比べて厚い、半導体モジュール（１Ｅ，１Ｇ，１Ｉ）。
【請求項６】
導電性を有するヒートシンク（６０）と、
前記ヒートシンク（６０）の所定面（６１）の側に設けられたパワー半導体チップ（１０ａ）と、
前記ヒートシンク（６０）の前記所定面（６１）の側に設けられており前記パワー半導体チップ（１０ａ）に比べて耐熱性が高い高耐熱性チップ（２５ｂ）と、
前記パワー半導体チップ（１０ａ）と前記ヒートシンク（６０）との間に延在すると共に前記高耐熱性チップ（２５ｂ）と前記ヒートシンク（６０）との間にも延在した共通の板状絶縁部材（３５ａｂｃ，３５ａｂ）と
を備え、
前記共通の板状絶縁部材（３５ａｂｃ，３５ａｂ）のうちで前記高耐熱性チップ（２５ｂ）に面する部分（３８ｂ）は、前記共通の板状絶縁部材（３５ａｂｃ，３５ａｂ）のうちで前記パワー半導体チップ（１０ａ）に面する部分（３３ａ）に比べて厚い、半導体モジュール（１Ｆ，１Ｈ，１Ｊ）。
【請求項７】
（削除）
【請求項８】
（削除）
【国際調査報告】
2013132644.tif 000014
2013132644.tif 000015
2013132644.tif 000016
2013132644.tif 000017